(57)【要約】【課題】祖父母世帯のデジタルフォトフレームに配信すべき画像を容易に選別することができる。【解決手段】画像表示装置１−１は、孫世帯に設置されており、画像の再生操作があると、画像ごとに、再生タイマを始動し、閲覧時間を計時して画像ファイルに保存する。画像表示装置１−１は、所定のタイミング、またはユーザ操作により、すべての画像を一括して画像選択サーバー５２５に転送する。画像選択サーバー５２５は、転送タイミングになると、閲覧時間が所定の閾値以上である画像をメールに添付して祖父母世帯の画像表示装置１−２に送信する。祖父母世帯の画像表示装置１−２には、毎日違った興味の度合いが高い画像（孫の写真など）がメールで届くことになる。【選択図】図１７
2012073998.tif 000002
【特許請求の範囲】
【請求項１】
保存した画像を表示する画像表示装置と、ネットワークを介して前記画像表示装置から画像を受信し、該受信した画像を前記ネットワークを介して他の画像表示装置に配信するサーバーとを具備する画像配信システムであって、
前記画像に対する操作または処理結果に係る付加情報を生成する付加情報生成手段と、
前記付加情報生成手段により生成された付加情報を当該画像に対応づけて記憶する記憶制御手段と、
前記記憶制御手段によって前記画像に対応づけて記憶された付加情報に基づいて、前記他の画像表示装置に転送すべき画像を選択する画像選択手段と、
前記画像選択手段によって選択された画像を前記他の画像表示装置に配信する配信手段と
を備えることを特徴とする画像配信システム。
【請求項２】
前記付加情報生成手段は、
前記画像の閲覧時間を付加情報として生成し、
前記画像選択手段は、
前記画像の閲覧時間に基づいて、前記他の画像表示装置に配信すべき画像を選択する
ことを特徴とする請求項１に記載の画像配信システム。
【請求項３】
前記付加情報生成手段は、
前記画像の閲覧回数を付加情報として生成し、
前記画像選択手段は、
前記画像の閲覧回数に基づいて、前記他の画像表示装置に配信すべき画像を選択する
ことを特徴とする請求項１に記載の画像配信システム。
【請求項４】
前記付加情報生成手段は、
前記画像に対する顔認識結果を付加情報として生成し、
前記画像選択手段は、
前記画像に対する顔認識結果に基づいて、前記他の画像表示装置に配信すべき画像を選択する
ことを特徴とする請求項１に記載の画像配信システム。
【請求項５】
前記付加情報生成手段は、
前記画像に対する編集履歴を付加情報として生成し、
前記画像選択手段は、
前記画像の編集履歴に基づいて、前記他の画像表示装置に配信すべき画像を選択する
ことを特徴とする請求項１に記載の画像配信システム。
【請求項６】
前記付加情報生成手段は、
前記画像のコピー回数、印刷回数、他の機器への転送の有無、顔認識による閲覧者の表情のいずれかを付加情報として生成し、
前記画像選択手段は、
前記画像のコピー回数、印刷回数、他の機器への転送の有無、顔認識による閲覧者の表情のいずれかに基づいて、前記他の画像表示装置に配信すべき画像を選択する
ことを特徴とする請求項１に記載の画像配信システム。
【請求項７】
保存した画像を表示するとともに、該画像をネットワークを介して、他の画像表示装置に配信するサーバーに転送する画像表示装置であって、
前記画像に対する操作または処理結果に係る付加情報を生成する付加情報生成手段と、
前記付加情報生成手段により生成された付加情報を当該画像に対応づけて記憶する記憶制御手段と、
前記付加情報が記憶された画像を、前記サーバーに転送する転送手段と
を備えることを特徴とする画像表示装置。
【請求項８】
前記付加情報生成手段は、
前記画像の閲覧時間、閲覧回数、顔認識結果、編集履歴、コピー回数、印刷回数、他の機器への転送の有無、顔認識による閲覧者の表情のいずれかを付加情報として生成する
ことを特徴とする請求項７に記載の画像表示装置。
【請求項９】
ネットワークを介して、保存した画像を表示する画像表示装置から画像を受信し、該受信した画像を前記ネットワークを介して他の画像表示装置に配信する画像配信サーバーであって、
前記画像に対応づけて記憶された付加情報に基づいて、前記他の画像表示装置に配信すべき画像を選択する画像選択手段と、
前記画像選択手段によって選択された画像を前記他の画像表示装置に配信する配信手段と
を備えることを特徴とする画像配信サーバー。
【請求項１０】
前記付加情報は、
前記画像の閲覧時間、閲覧回数、顔認識結果、編集履歴、コピー回数、印刷回数、他の機器への転送の有無、顔認識による閲覧者の表情のいずれかである
ことを特徴とする請求項９に記載の画像配信サーバー。
【請求項１１】
保存した画像を表示するとともに、該画像をネットワークを介して、他の画像表示装置に配信するサーバーに転送する画像表示装置のコンピュータに、
前記画像に対する操作または処理結果に係る付加情報を生成する付加情報生成機能、
前記付加情報生成機能により生成された付加情報を当該画像に対応づけて記憶する記憶制御機能、
前記付加情報が記憶された画像を、前記サーバーに転送する転送機能
を実行させることを特徴とするプログラム。
【請求項１２】
ネットワークを介して、保存した画像を表示する画像表示装置から画像を受信し、該受信した画像を前記ネットワークを介して他の画像表示装置に配信する画像配信サーバーのコンピュータに、
前記画像に対応づけて記憶された付加情報に基づいて、前記他の画像表示装置に配信すべき画像を選択する画像選択機能、
前記画像選択機能によって選択された画像を前記他の画像表示装置に配信する配信機能
を実行させることを特徴とするプログラム。
【請求項１３】
保存した画像を表示する画像表示装置と、ネットワークを介して前記画像表示装置から画像を受信し、該受信した画像を前記ネットワークを介して他の画像表示装置に配信するサーバーとを具備する画像配信システムであって、
前記画像に対する操作または処理結果に基づいて、前記他の画像表示装置に転送すべき画像を選択する画像選択手段と、
前記画像選択手段によって選択された画像を前記他の画像表示装置に配信する配信手段と
を備えることを特徴とする画像配信システム。
【請求項１４】
前記画像選択手段は、
前記画像に対する操作または処理結果に基づいて、前記他の画像表示装置に配信すべき画像を選択した画像を、所定の記憶領域に移動して保存し、
前記配信手段は、
前記画像選択手段によって所定の記憶領域に移動させられた画像を前記他の画像表示装置に配信する
ことを特徴とする請求項１３に記載の画像配信システム。
【請求項１５】
前記配信手段は、
前記他の画像表示装置に配信した画像を、配信済記憶領域に移動して保存する
ことを特徴とする請求項１４に記載の画像配信システム。
【請求項１６】
前記画像選択手段は、
前記画像に対する操作または処理結果に基づいて、前記他の画像表示装置に配信すべき画像を選択し、該選択した画像の識別情報を、所定の記憶領域に記録し、
前記配信手段は、
前記画像選択手段によって所定の領域に記録した識別情報に対応する画像を前記他の画像表示装置に配信する
ことを特徴とする請求項１３に記載の画像配信システム。
【請求項１７】
前記配信手段は、
前記他の画像表示装置に配信した画像の識別情報を、配信済記憶領域に移動して記録する
ことを特徴とする請求項１６に記載の画像配信システム。
【請求項１８】
前記画像に対する操作または処理結果は、
前記画像の閲覧時間、前記画像の閲覧回数、前記画像に対する顔認識結果、前記画像に対する編集履歴、前記画像のコピー回数、印刷回数、他の機器への転送の有無、顔認識による閲覧者の表情のいずれかであり、
前記画像選択手段は、
前記画像の閲覧時間、閲覧回数、前記画像に対する顔認識結果、前記画像に対する編集履歴、前記画像のコピー回数、印刷回数、他の機器への転送の有無、顔認識による閲覧者の表情のいずれかに基づいて、前記他の画像表示装置に配信すべき画像を選択する
ことを特徴とする請求項１３乃至１７のいずれかに記載の画像配信システム。
【請求項１９】
ネットワークを介して第１の画像表示装置及び第２の画像表示装置と接続される画像配信サーバーであって、
前記第１の画像表示装置から受信した複数の画像を保存する第１の記憶エリアと、
前記第１の記憶エリアに保存されている画像の中から所定の条件を満たす画像を抽出する抽出手段と、
前記抽出手段により抽出された画像データを該サーバー内の第２の記憶エリアに転送する第１の転送手段と、
前記第２の記憶エリアに転送された画像を、所定のタイミングで前記第２の画像表示装置に配信するとともに、該サーバー内の第３の記憶エリアに転送する第２の転送手段と
を具備したことを特徴とする画像配信サーバー。
【請求項２０】
前記所定の条件は、
前記第１の画像表示装置における画像の閲覧時間、閲覧回数、顔認識結果、編集履歴、コピー回数、印刷回数、他の機器への転送の有無、顔認識による閲覧者の表情のいずれかであることを特徴とする請求項１９に記載の画像配信サーバー。
【発明の詳細な説明】
【技術分野】
【０００１】
本発明は、離れた場所の間で画像を配信・閲覧する技術に関し、特に、インターネットを利用した画像配信に係る、画像配信システム、画像表示装置、画像配信サーバー、及びプログラムに関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。まず、このような技術や写真文化の流れについて特許文献を参照しながら簡単に説明する。
【０００３】
上記のような状況において、画像データでも従来のプリント写真と同様の楽しみ方ができるようにするため、いわゆるデジタルフォトフレームが実現され普及している（例えば、特許文献１参照）。
このようなデジタルフォトフレームでは、撮影した写真を再生して好きなときに鑑賞したり、スライドショー表示したり、画像データを保存するアルバム端末として使用することができる。
【０００４】
そして、ネットワークに接続し、メールの送受信も可能なデジタルフォトフレームも提案されている（例えば、特許文献２参照）。
【０００５】
また、複数人に閲覧可能とし、複数の閲覧者の情報を登録しておき、閲覧する人に応じて表示のさせ方等を変えるものも提案されている（例えば、特許文献３参照）。
【０００６】
更に、画像処理を加えることで、元の写真をベースとしつつも趣の異なる画調の画像（例えば、絵画調など）を生成して表示することができるようにした技術も提案されている（例えば、特許文献４参照）。
【０００７】
特許文献４の技術を発展させ、実際に画家が描いた絵画の画像から色彩情報と筆蝕情報等の特徴を抽出し、撮影された画像に抽出した特徴を付与することにより、原画像全体を勘案して、芸術性の高い絵画調画像に変換する技術も提案されるに至っている（例えば、特許文献５参照）。
【０００８】
また、絵画調などの画質を変更することによって変化をもたせるものも提案されている。（例えば、特許文献６参照）。
【０００９】
更にまた、スライドショーのように複数の画像を順次切り替え表示する場合、表示に適さない画像が不用意に表示されてしまうことを効果的に防止できるようにしたものも提案されている（例えば、特許文献７参照）。
【００１０】
他方、メモリカードの容量が大きくなり、価格も安くなっているために、家族が複数のデジタルカメラで複数のメモリカードに写真を撮りためたまま、メモリカードの整理がつかなくなっているケースが増えている。どのメモリカードに誰が何の写真を撮ったか分からなくなると、いちいちカメラやデジタルフォトフレームで再生して確認してから、改めてパソコンなどにフォルダ分けをして整理した上で保存しなければならないという背景がある。
そこで、大量の画像をパソコンに保存する際に、予め設定した内容に沿って、自動的にフォルダ分けを行い、その分類内容によって画像整理を効率よく行わせる技術が提案されている（例えば、特許文献８参照）。
【００１１】
さて、このような従来のデジタルフォトフレームにおいては、内蔵若しくはメモリカードに記録されている画像を表示するだけなので物足りないという課題があった。
そこで、デジタルフォトフレームをインターネットに接続し、様々なコンテンツ画像を有料若しくは無料で配信することが提案されている（例えば、特許文献９参照）。
【００１２】
特許文献９記載の技術によれば、デジタルフォトフレームにおいて、ニュースや広告など、無料若しくは有料の複数のジャンルのコンテンツ配信を受けることができる。
【００１３】
しかしながら、その配信情報を誰が見ているのか、何度も見ているか、あるいは１度しか見ていないかという配信情報別・個人別の人気度が分からないという課題があった。
【先行技術文献】
【特許文献】
【００１４】
【特許文献１】特開２００９−１４１６７８号公報
【特許文献２】特開２０１０−６１２４６号公報
【特許文献３】特開２０１０−８６９１４号公報
【特許文献４】特開平８−４４８６７号公報
【特許文献５】特開２００４−２１３５９８号公報
【特許文献６】特公平０１−４６９０５号公報
【特許文献７】特開２００９−２８８５０７号公報
【特許文献８】特開２００９−８７０９９号公報
【特許文献９】特開２００３−９１６７５号公報
【発明の概要】
【発明が解決しようとする課題】
【００１５】
上述したデジタルフォトフレームの使用方法として、孫とその親（孫世帯）と、離れて暮している祖父母（祖父母世帯）を考える。祖父母世帯には、特許文献２で例示したようなメール受信機能付きデジタルフォトフレームがあるとする。孫世帯は、デジタルカメラで撮影し、溜めこんである沢山の写真（主に孫の写真と想定）を、選別せずに丸ごと、写真サーバーにアップロードする。写真サーバーは、その複数の写真を、メール添付して、祖父母世帯のフォトフレームに配信する。
【００１６】
このとき、すべての写真を配信すると、面白みのない写真が祖父母世帯に配信されてしまうという課題がある。
そこで、孫世帯が写真を選別し、例えば孫の写真を選別して写真サーバーにアップロードすることが考えられる。しかしながら、選別作業が必要となると、忙しい毎日を過ごしている孫世帯は、選別作業の煩わしさから、当該システムを利用しなくなってしまうという課題がある。
【００１７】
本発明は上記事情に鑑みてなされたもので、祖父母世帯のデジタルフォトフレームに配信すべき画像を容易に選別することができる画像配信システム、画像表示装置、画像配信サーバー、及びプログラムを提供することを目的とする。
【課題を解決するための手段】
【００１８】
前記課題を解決するため、請求項１記載の発明は、保存した画像を表示する画像表示装置と、ネットワークを介して前記画像表示装置から画像を受信し、該受信した画像を前記ネットワークを介して他の画像表示装置に配信するサーバーとを具備する画像配信システムであって、前記画像に対する操作または処理結果に係る付加情報を生成する付加情報生成手段と、前記付加情報生成手段により生成された付加情報を当該画像に対応づけて記憶する記憶制御手段と、前記記憶制御手段によって前記画像に対応づけて記憶された付加情報に基づいて、前記他の画像表示装置に転送すべき画像を選択する画像選択手段と、前記画像選択手段によって選択された画像を前記他の画像表示装置に配信する配信手段とを備えることを特徴とする画像配信システムである。
【発明の効果】
【００１９】
本発明によれば、所定の配信先、例えば祖父母世帯のデジタルフォトフレームに配信すべき画像を容易に選別することができるという利点が得られる。
【図面の簡単な説明】
【００２０】
【図１】本発明を適用した第１実施形態による画像表示装置１を示す外観図である。
【図２】本第１実施形態による画像表示装置１の電気的構成を示したブロック図である。
【図３】本第１実施形態による画像表示装置１が適用されるネットワーク系の構成を示すブロック図である。
【図４】本第１実施形態による表示装置１のメモリカード６０に記憶されている画像ファイルの構造を示す概念図である。
【図５】本第１実施形態による表示装置１の内部メモリ１４内のフォルダ構成を示す概念図である。
【図６】本第１実施形態による表示装置１の内部メモリ１４内に構成されるアドレス帳３３の構成を示す概念図である。
【図７】本第１実施形態による画像表示装置１の初期設定の際に、ユーザの顔とユーザのメールアドレスとを対応づけて登録するための手順を示すフローチャートである。
【図８】本第１実施形態による画像表示装置１において、ＳＤカードなどのメモリカード６０がメモリカードスロット６に差し込まれた際に、メモリカード６０に記憶されている画像を内部メモリ１４に保存する際の手順を示すフローチャートである。
【図９】本第１実施形態による画像表示装置１でメールを受信したときの手順を示すフローチャートである。
【図１０】本第１実施形態による画像表示装置１の再生動作について説明するフローチャートである。
【図１１】本第１実施形態による画像表示装置１の再生動作の中のスライドショー再生の手順を示すフローチャートである。
【図１２】本第１実施形態による画像表示装置の他のフォルダ構成を示す概念図である。
【図１３】本第１実施形態による画像配信システムに係る、ネットワークによるコンテンツ配信サービスの一例を示すブロック図である。
【図１４】本第１実施形態の特徴であるログ情報の解析について説明するための概念図である。
【図１５】本第１実施形態による画像表示装置１でのログ記録の概略動作を示すフローチャートである。
【図１６】本第１実施形態において、配信コンテンツサイト５３０から配信され、ネットワークサービスサイト５２０のコンテンツサーバー５２４に一時的に記憶されるコンテンツのファイル構成の一例を示す概念図である。
【図１７】本第２実施形態による画像表示装置１が適用されるネットワーク系の構成を示すブロック図である。
【図１８】本第２実施形態による画像表示装置１−１のメモリカード６０に記憶されている画像ファイルの構造を示す概念図である。
【図１９】本第２実施形態による画像表示装置１−１の再生動作について説明するフローチャートである。
【図２０】本第２実施形態による画像選択サーバー５２５の動作を説明するためのフローチャートである。
【図２１】本第３実施形態による画像表示装置１−１のメモリカード６０に記憶されている画像ファイルの構造を示す概念図である。
【図２２】本第３実施形態による画像表示装置１−１において、ＳＤカードなどのメモリカード６０がメモリカードスロット６に差し込まれた際に、メモリカード６０に記憶されている画像を内部メモリ１４に保存する際の手順を示すフローチャートである。
【図２３】本第３実施形態による画像選択サーバー５２５の動作を説明するためのフローチャートである。
【図２４】本第４実施形態による画像表示装置１−２が適用されるネットワーク系の構成を示すブロック図である。
【図２５】本第４実施形態による画像表示装置１−１のメモリカード６０に記憶されている画像ファイルの構造を示す概念図である。
【図２６】本第４実施形態によるパーソナルコンピュータ５１０の編集動作について説明するフローチャートである。
【図２７】本第４実施形態による画像選択サーバー５２５の動作を説明するためのフローチャートである。
【図２８】本第５実施形態による画像選択サーバー５２５の構成を示すブロック図である。
【図２９】本第５実施形態による孫世帯の画像表示装置１−１の動作を説明するためのフローチャートである。
【図３０】本第５実施形態による画像選択サーバー５２５の動作を説明するためのフローチャートである。
【発明を実施するための形態】
【００２１】
以下、本発明の実施の形態について図面を参照して説明する。
【００２２】
Ａ．第１実施形態
図１は、本発明を適用した第１実施形態による画像表示装置１を示す外観図である。画像表示装置１の正面には、本体２に保持された液晶表示パネル３によって構成される表示部が設けられている。この液晶表示パネル３には、タッチパネル５が一体的に構成されており、指でタッチすることにより操作可能となっている。本体２の前面上部右側には、撮像素子８が設けられ、側面には、メモリカードスロット６が設けられている。更に、本体上部にＧＰＳ（Global Positioning System)アンテナ７、全面上部左側に人感センサ４が設けられている。
【００２３】
図２は、本第１実施形態による画像表示装置１の電気的構成を示したブロック図である。画像表示装置１は、ＣＰＵ（Central Processing Unit）１１と、ＣＰＵ１１に接続されたＲＯＭ（ReadOnly
Memory）１２と、ＲＡＭ（Random Access memory）１３と、内部メモリ１４とを備え、ＲＯＭ１２には、ＣＰＵ１１に後述するフローチャートに示す動作を行わせるためのプログラムが記憶されている。また、ＣＰＵ１１は、撮像素子８で撮像した顔を認識処理するための顔認識エンジン１００と、写真画像を絵画調の画像に変換する絵画変換エンジン２００とを含んでいる。
【００２４】
顔認識エンジン１００は、写真の中に複数の顔が写っている場合、それぞれの顔を認識する能力を備えている。
【００２５】
絵画変換エンジン２００は、例えば、特開平８−４４８６７号公報（特許文献４）、特開２００４−２１３５９８号公報（特許文献５）などに開示されているような絵画変換処理を行うものである。絵画変換エンジン２００による絵画変換処理は、メモリカード６０に記憶されている表示対象の画像を、絵画が有する特徴を備えた絵画調画像、つまり特定の効果を与えた絵画調画像に変換し、変換後の絵画調画像を液晶表示パネル３に表示する処理である。
【００２６】
また、絵画調画像への変換に際して目標とする絵画の種類、つまり変換画調画像にする特徴（画調）が選択可能である。本第１実施形態において、選択可能な画調は、油絵調、水彩画調、パステル画調、鉛筆画調、クレヨン画調、イラスト画調、点描画調、エアブラシ画調とする。しかし、これに限ることなく、ゴッホ調、モネ調、ピカソ調など、画家の特徴を加味した変換の選択を可能としても良い。また、別の画調のアルゴリズムを後述するメモリカード６０で提供することもできる。
【００２７】
なお、本第１実施形態においては、油絵調からエアブラシ画調までの８種類の画調に変
換するプログラムが記憶されているが、格別指定のない場合の優先順序は、（１）油絵調、（２）水彩画調、（３）パステル画調、（４）鉛筆画調、（５）クレヨン画調、（６）イラスト画調、（７）点描画調、（８）エアブラシ画調とする。
【００２８】
ＲＡＭ１３は、ＣＰＵ１１が必要に応じて種々のデータを一時的に記憶する作業用のメモリである。内部メモリ１４は、ハードディスク、またはフラッシュメモリによる大容量不揮発性メモリであり、詳細は後述するが、フォルダが形成されて多数の画像を保存可能となっている。また、電話帳３３、反応ログメモリ３００も含む。
【００２９】
表示制御部１６は、ＣＰＵ１１から供給される表示用の画像データに基づいて液晶表示パネル３を駆動することにより、画像や、各種メニューを液晶表示パネル３に表示させる。キー入力部制御部１７は、ＣＰＵ１１の制御に基づいてタッチパネル５の操作信号を入力するものである。
タッチパネル５は、静電容量方式、光学方式、抵抗膜方式、表面弾性波方式、超音波方式、電磁誘導方式など様々存在する中から、適宜選択することができる。指紋認証や、静脈認証の機能を組み込むことも可能である。
【００３０】
メモリカードインターフェース１８は、メモリカードスロット６に着脱自在に装着された各種のメモリカード６０と、ＣＰＵ１１との間におけるデータの入出力を制御する入出力インターフェースとである。
【００３１】
撮像制御部１９は、撮像素子８を駆動して被写体の画像を取り込む制御を行う。ベイヤーデータで取り込まれた画像データは、ＹＵＶ、及びＲＧＢデータに変換後、ＪＰＥＧ（Joint Photographic ExpertsGroup）データに圧縮されて内部メモリ１４またはメモリカード６０に記録される。
ＧＰＳ制御部２０は、ＧＰＳアンテナ７で受信した情報を元に位置情報を取得する。これにより、画像表示装置１の現在位置を知ることができる。
電源制御部７０は、電源プラグ３１を介してＡＣ電源を取り入れ、直流に変換して各部に主電源７１若しくは待機電源７２の電力を供給する。
【００３２】
人感センサ４は、焦電センサや、ラインセンサなどで構成されるもので、ＣＰＵ１１に接続され、近くに人がいるかどうかを検知する。従って、近くに人がいない状態が所定時間以上続くと、電源制御部７０をＣＰＵ１１により制御し、自動的に主電源７１を切って待機電源７２だけ供給しておき、節電を図り（オートパワーオフ）、再度、人感センサ４が人の接近を検知すると、主電源７１をオンする。
【００３３】
また、人感センサ４は、閲覧者の角度や、距離を測定することができる。更に、この人感センサ４を撮像素子８で流用することもできる。詳細は後述するが、撮像素子８、撮像制御部１９、及び顔認識エンジン１００の協働により、閲覧者の顔を認識し、誰が閲覧しているかによって電源の制御が可能であるとともに、誰がどの角度で、近くから見ているか遠くから見ているかも検出することができる。
【００３４】
通信制御部３０は、電話回線３１若しくは無線ＬＡＮ３２を経由してインターネット５００に接続し、メールの送受信や、コンテンツの送受信を含む通信制御を行う。アドレス帳３３は、メール送受信に用いられ、実際は、内部メモリ１４内に設けられる。
【００３５】
反応ログメモリ３００は、内部メモリ１４内に設けられ、上述した撮像素子８で撮像し、顔認識エンジン１００で認識した結果や、人感センサ１９の反応結果、タッチパネル５のタッチ結果などにより、閲覧者の反応ログ（履歴）を記憶する。
【００３６】
次に、図３は、本第１実施形態による画像表示装置１が適用されるネットワーク系の構成を示すブロック図である。５１０はパーソナルコンピュータであり、無線ＬＡＮ３２等で通信制御部３０を介して画像表示装置１と接続でき、画像表示装置１では設定できない複雑な設定等をすることができる。
【００３７】
５２０は、インターネット５００を介して接続されるネットワークサービスサイトであり、少なくとも認証サーバー５２１、メールサーバー５２２、課金サーバー５２３、コンテンツサーバー５２４を含む。画像表示装置１のネットワークプロバイダの役割もしている。
【００３８】
５３０は、表示装置１に表示させるための各種コンテンツを配信するための配信コンテンツサイトで、多数のコンテンツや、画像などを有しており、インターネット５００を介して画像表示装置１若しくはネットワークサービスサイト５２０へデータを配信することができる。
【００３９】
図４は、本第１実施形態による画像表示装置１のメモリカード６０に記憶されている画像ファイルの構造を示す概念図である。各画像ファイルは、ＥＸＩＦ（Exchangeable Image File Format）などのデータを有するヘッダＧ１と、撮影された画像であり本画像である画像データＧ２と、その画像データＧ２の縮小画像であるサムネイルＧ３の画像データを含む。なお、表示画面の大きさにより、画面に表示すべき縮小画像の大きさが異なるため、サムネイルとは別に表示用のプレビュー画像を作成して記憶しておく場合もある。本第１実施形態では、プレビュー画像も含めてサムネイルと表現している。
【００４０】
つまり、画像ファイルは、一般的なデジタルカメラのファイルフォーマットに準拠し、デジタルカメラで撮像したＳＤカード（メモリカード６０）をメモリカードスロット６に差し込むだけで使用できるようになっている。画像ファイルのフォーマットとしては、ＪＰＥＧ、ＧＩＦ（Graphics Interchange Format）、ＡＶＩ（Audio
VideoInterleave）、ＰＮＧ（Portable Network Graphics）など種々のフォーマットに適宜対応可能である。
【００４１】
以下は、本第１実施形態に特有のデータである。まず、Ｇ４は、画像の保存操作を行った人物を示す個人識別コードであり、人物の特定は、顔認識により識別する。例えば、お父さんであれば“１００１”、お母さんであれば“１００２”のように、個人別に識別コードが割り振られる。Ｇ５は、画像の用途を示し、仕事用、プライベート用などに分類した分類コードである。例えば、仕事用であれば“０１”、プライベート用であれば“０２”、旅行用であれば“０３”の分類コードが記録される。この分類は、自分の画像について自由に分類分けを行うことができる。Ｇ６は、その画像をシークレット設定するかどうかを示すシークレットフラグであり、シークレット設定にする場合には“１”、そうでない場合には“０”とする。
【００４２】
Ｇ７は、表示している画像を閲覧している人物を示す閲覧者コードである。閲覧者の特定は、画像を表示している際に撮像素子８で撮像した人物を顔認識し、既に登録されている人物であれば、該当人物の識別コードを閲覧者コードとして記録し、登録されていない新規な人物であれば、新たに閲覧者コードを発行して記録していく。Ｇ８は、閲覧者別の閲覧回数を記憶する。Ｇ７とＧ８は、便宜上、別々に示しているが、閲覧者コードと閲覧回数とをセットで記憶していくものである。すなわち、この画像をＡさんが２回見ていれば、Ａさんの閲覧者コード“１１０１”＊２、Ｂさんが３回見ていれば、Ｂさんの閲覧者コード“１０５２”＊３、ということになる。
【００４３】
図５は、本第１実施形態による表示装置１の内部メモリ１４内のフォルダ構成を示す概念図である。本第１実施形態では、内部メモリ１４に画像認識により識別された個人毎のフォルダが作成される。図４には、１つの画像ファイルの構成を示したが、基本的には、この画像ファイルの個人識別コードＧ７毎にフォルダを形成する。例えばお父さんの識別コード“１００１”に対応するフォルダＦ１、お母さんの識別コード“１００２”に対応するフォルダＦ２、…のようになる。また、個人のフォルダ内に、画像ファイルの分類コードＧ５に応じて、あるいはシークレットフラグを付けたものについてサブフォルダＳＦを形成する。例えば、仕事用サブフォルダＳＦ１、プライベート用サブフォルダＳＦ２、シークレットフラグを立てたサブフォルダＳＦ３、メールで受信した画像用のサブフォルダＳＦ４が形成される。なお、これらのフォルダは、論理フォルダであって物理的にメモリエリアが区分けされているわけではない。
【００４４】
図６は、本第１実施形態による表示装置１の内部メモリ１４内に構成されるアドレス帳３３の構成を示す概念図である。３３１は、プロファイルと呼ばれる保有者のメールアドレス情報を記憶するエリアであり、３３２は、送受信する相手先のメールアドレス情報を記憶するエリアである。Ｍ２は、メールアドレスそのものが記録されるエリアであり、Ｍ１は、該当メールアドレスの保有者の名前が記録されるエリアである。名前は、自由に付けることができる。Ｍ３は、該当メールアドレスの個人の顔画像を登録するエリアである。Ｍ４は、上述した個人識別コードが記録されるエリアである。Ｍ５は、その他の各種情報、例えば、住所、着信拒否、…が必要に応じて適宜記録されるエリアである。
【００４５】
以下、本第１実施形態の画像表示装置１及びネットワークシステムの具体的な動作についてフローチャートを参照しながら説明する。なお、説明を分かりやすくするために、フローチャートは、操作者の操作手順に沿った表現となっているが、これに伴って回路やデータの動きについて説明をしていく。
【００４６】
図７は、本第１実施形態による画像表示装置１の初期設定の際に、ユーザの顔とユーザのメールアドレスとを対応づけて登録するための手順を示すフローチャートである。まず、ユーザのメールアドレスを設定する（ステップＳ１０）。このユーザのメールアドレスの設定方法について説明する。初回起動時に画像表示装置１と認証サーバー５２１とをネット接続し、認証を受けたらメールサーバー５２２から画像表示装置１に対してユニークなメールアドレスが発行され、付与される。パーソナルコンピュータ５１０からメールサーバー５２２にアクセスして、上記ユニークなメールアドレスを好きなメールアドレスに変更する。このメールアドレスを家族や友人に知らせれば、画像メールの送受信が可能となる。これは、基本的には、パーソナルコンピュータや携帯端末などのアドレス初期設定と
同様である。
【００４７】
次に、画像表示装置１のユーザ（保有者を含む使用者：複数可）が自分の顔を登録する。撮像素子８は、電源オン中、ほぼ常時撮像をしているが、ユーザが、自分のメールアドレスが液晶表示パネル３に表示されている状態で（ステップＳ１２）、液晶表示パネル３に表示される顔登録ボタンをタッチパネル５でタッチすると（ステップＳ１４）、ＣＰＵ１１は、顔認識エンジン１００によりユーザの顔を認識し、上記ユーザのメールアドレスとユーザの顔とを対応付けてアドレス帳３３に登録する（ステップＳ１６）。
【００４８】
図８は、本第１実施形態による画像表示装置１において、ＳＤカードなどのメモリカード６０がメモリカードスロット６に差し込まれた際に、メモリカード６０に記憶されている画像を内部メモリ１４に保存する際の手順を示すフローチャートである。まず、メモリカード６０がメモリカードスロット６に挿入されたか否かを判断し（ステップＳ２０）、メモリカード６０がメモリカードスロット６に挿入されると、ＣＰＵ１１は、そのとき撮像素子８により撮影されているユーザの顔に対して、顔認識エンジン１００を用いて顔認識を行う（ステップＳ２２）。
【００４９】
次に、顔認識した顔に対して、個人識別コードが登録されているか否かを判断する（ステップＳ２４）。すなわち、図５に示したように、個人識別コードに対応してフォルダが構成されているので、認識した人のフォルダが存在しているか否かを判断することになる。例えば、存在していない新しいユーザであれば、新たに識別コードを発行して顔を登録するとともに、フォルダを作成する（ステップＳ２６）。一方、操作しているユーザが識別コード“１００１”のお父さんであれば、フォルダＦ１を選択する（ステップＳ２８）。登録されていないユーザの画像保存はできないようにしてもよい。
【００５０】
次に、液晶表示パネル３に表示されている保存ボタンが押されたか否かを判断し（ステップＳ３０）、保存ボタンがタッチキー５を介して押されると、メモリカード６０に記録されている画像を、該当するフォルダにコピーする（ステップＳ３２）。すなわち、ユーザ（操作者）は、特に意識することなく、自分のフォルダに画像を保存することができる。その後、適宜、メニューに従ってフォルダ内での分類によるサブフォルダ作成や、シークレットフラグの設定を行うことができる。
【００５１】
図９は、本第１実施形態による画像表示装置１でメールを受信したときの手順を示すフローチャートである。画像表示装置１に自己のメールアドレスが設定されていなければ、そもそもメールを受信できないが、設定されている場合には、例えば、お父さんのメールアドレス（father@***.**.jp）で受信したとすると（ステップＳ４０）、受信したメールアドレスに対応するフォルダが存在しているかを判断する（ステップＳ４２）。そして、対応するフォルダが存在しないと判断された場合には、受信したメールを共用フォルダＦ６に保存する（ステップＳ４４）。一方、対応するフォルダ、例えば、お父さんのメールアドレスに対応するフォルダＦ１が存在していると判断された場合には、対応するフォルダＦ１にメールが保存されるとともに、メールに画像が添付されている場合には、その画像を画像メール用サブフォルダＳＦ４に保存する（ステップＳ４６）。
【００５２】
図１０は、本第１実施形態による画像表示装置１の再生動作について説明するフローチャートである。再生には、内部メモリ１４に記憶された画像を再生する場合、挿入されたメモリカード６０に記憶された画像を再生する場合、１枚だけ再生する場合、スライドショー再生する場合などがある。
【００５３】
ユーザ（操作者：登録されているユーザと登録されていないユーザとを含む）が画像を再生しようとして画像表示装置１の前に来ると、撮像素子８が撮像しているので、ＣＰＵ１１と顔認識エンジン１００とが協働して操作者の顔を認識し（ステップＳ５０）、再生操作があったか否かを判断し（ステップＳ５２）、再生操作があると、認識した顔のユーザが登録されているか否かを判断する（ステップＳ５４）。そして、顔が登録されていれば、画像表示装置１のユーザであると推定できるので、対応するフォルダ、例えば、認識されたのがお父さんであれば、お父さんフォルダＦ１に保存されている画像と共用フォルダＦ６に保存されている画像とを再生可能にする（ステップＳ５６）。他の人のフォルダ、例えばお母さんフォルダＦ２、妹フォルダＦ４などは勝手に再生できない。一方、顔が登録されていなければ、共用フォルダＦ６に保存されている画像のみを再生可能にする（ステップＳ５８）。そして、ステップＳ６０へ進み、所定の再生操作を行う。
【００５４】
但し、顔認識エンジン１００は、画像に写っている複数のユーザの顔を認識可能なので、お父さんと一緒にお母さんも写っていれば、お母さんフォルダＦ２の内容も再生可能となる。
なお、複数のユーザの顔が認識され、登録されているユーザと登録されていないユーザとが混在している場合の制御については後述する。
【００５５】
図１１は、本第１実施形態による画像表示装置１の再生動作の中のスライドショー再生の手順を示すフローチャートである。図１０のステップＳ５２に相当する再生操作の有無の判断を行ったとき（ステップＳ７０）、それがスライドショー再生か否かを判断する（ステップＳ７２）。そして、スライドショー再生でなければ他の処理へ進む。
【００５６】
一方、スライドショー再生であれば、まず、１枚目の画像を読み出す（ステップＳ７４）。スライドショー再生としては、特定フォルダ内再生、古い順再生、または新しい順再生、ランダム再生などがある。次に、現在見ている閲覧者（登録されているユーザと登録されていないユーザとを含む）の顔認識を行う（ステップＳ７６）。そして、顔認識された顔が前に閲覧した閲覧者の顔か否かを判断する（ステップＳ７８）。図４に示すように、画像毎に閲覧者コードＧ７が用意されており、一度閲覧すると閲覧者コードＧ７と閲覧回数Ｇ８とが組になって登録されている。
【００５７】
そこで、顔認識された顔が前に閲覧した閲覧者の顔でないと判断された場合、再生対象の画像は、該顔認識された閲覧者が見たことがない画像であるので、その画像の表示を行い（ステップＳ８０）、閲覧者コードを発行し、顔画像の登録と閲覧回数の加算を行う（ステップＳ８２）。一方、顔認識された顔が前に閲覧した閲覧者の顔であると判断された場合、再生対象の画像を、顔認識された閲覧者が前に見たことがあった場合であるので、ステップＳ８０、Ｓ８２をスキップして、ステップＳ８４へ進む。
【００５８】
次に、インタラプトが無いか否かを判断する（ステップＳ８４）。すなわち、画像を表示中に、現在見ている閲覧者が変わった場合、あるいは新たな閲覧者が加わった場合の処理である。本第１実施形態では、表示する画像を選択する前に顔認識を行っているが、スライドショーは、数秒間同じ画像を表示し続けているので、当然、その間に閲覧者がいなくなったり、増えたり、変更したりすることが考えられる。
【００５９】
ここでは、表示中の画像が特定の人、あるいは所有者以外には見られては相応しくない場合の対策を想定する。例えば、家族以外の人の顔を検出した場合、すなわち、インタラプトがあった場合には、表示を停止させるか、別の画像を読み出して差し替える（ステップＳ８６）。差し替え用の特定の画像を用意しておいても良い。このインタラプト処理は、便宜上、フローチャートのこの位置に表現したが、インタラプト信号によりいつでも受け付けるようにすることもできる。
【００６０】
また、シークレットフラグを立てたサブフォルダＳＦ３から読み出された画像を表示中に、その保有者以外の新たな閲覧者が加わった場合も、ステップＳ８６へ進み、表示を停止させるか、別の画像を読み出して差し替える。
【００６１】
そして、終了指示があったか否かを判断し（ステップＳ８８）、終了指示がなければ、ステップＳ７４に戻って次の画像を読み出し、上述した処理を繰り返す。一方、終了指示があれば、当該処理を終了する。
【００６２】
すなわち、本第１実施形態においては、スライドショーを表示する際、長時間になると同じ画像の繰り返しとなってくるので、見飽きてくる可能性があり、閲覧者を顔認識することによって、該閲覧者がまだ見ていない画像を表示するようにしている。
【００６３】
なお、図１１に示すフローチャートには、詳細まで記載していないが、閲覧者が複数の場合には、誰も見ていない画像＞見たことがない人が混じっている＞全員が見たことがある、の順で優先順位付けを行う。つまり、誰も見ていない画像を第１優先、見たことがない人が混じっている画像を第２優先、全員が見たことがある画像を第３優先として類別する。
【００６４】
そして、まず、第１優先に属する画像をスライドショー表示し、第１優先に属する画像を全て表示し終えたならば、第２優先に属する画像をスライドショー表示する。第２優先に属する画像を全て表示し終えたならば、第３優先に属する画像をスライドショー表示し、第３優先に属する画像を全て表示し終えたならば、第１優先に属する画像からのスライドショー表示を再度実行する。
【００６５】
無論、上記処理は、ある瞬間における閲覧者の数、または構成員が変化しない状態での動作であり、閲覧者の数、または構成員が変化する都度、新たに上記第１、第２、第３優先の類別は変化することとなる。
【００６６】
更に、シークレットフラグＧ６がついている画像は、最初から表示対象としない。顔認識によりその画像の保有者本人であると認識されたときのみ表示しても良く、その際はステップＳ８４により他人の顔が検出された瞬間、ステップＳ８６で表示停止とする。
【００６７】
なお、図１０及び図１１に示したフローチャートにより表示される画像は、画調変換されていない画像に関するものであり、画調変換された画像に関しては、何らの制限もなくスライド表示可能である。この場合、例えば、画調変換した画像をスライドショーモードが設定されたことを条件として、特定のフォルダ内の画像を画調変換して表示、古い順または新しい順で画像を画調変換して表示、ランダムに画像を画調変換して表示のいずれであってもよい。
【００６８】
図１２は、本第１実施形態による画像表示装置の他のフォルダ構成を示す概念図である。第１実施の形態においては、図５に示すように、個人識別コードによる保有者別のフォルダを形成した。これに対し、図１２に示すように、複数のメモリカード毎に、内部メモリ１４にフォルダを形成して保存するようにしてもよい。
【００６９】
現在、カメラのＳＤカードや、携帯電話のミニＳＤカード、マイクロＳＤカード等を何枚もそのまま保管していて、どれがどれだか分からなくなってしまうケースも多い。複数のカメラで複数のＳＤカードを使用した場合も、どのＳＤカードをどのカメラでいつ撮影して何が記録されているかが分からなくなってしまうケースもある。
【００７０】
そこで、図８のフローで示したと同様、特別な操作を行うことなくメモリカード６０を画像表示装置１に差し込むだけで、例えば、Ａ社のＳＤカード（１）Ｆ１１、Ａ社のＳＤカード（２）Ｆ１２，Ｂ社のＳＤカード（１）Ｆ１３、携帯電話のマイクロＳＤカードＦ１４、…のようにフォルダ分けされる。Ａ社、Ｂ社と言っているのは、カメラ、または携帯のメーカー名である。もちろん、顔認識により個人識別コードを付けることで、保有者は明確になっている。すなわち、ＳＤカード（１）を挿入したのがお父さんであれば、フォルダＦ１１の保有者はお父さんである。
【００７１】
つまり、上述した動作と同様、特別な操作を行うことなくメモリカード６０を画像表示装置１に挿入して画像を保存していけば、カード別のフォルダが自動的にできるので、家庭用アルバム端末として好適である。
【００７２】
なお、図１２において、下段のフォルダは、画像を何らかの形で加工したものが記憶される。例えば、フォルダＦ１５は、絵画変換した画像、フォルダＦ１６は、シークレットフラグを設定した画像、フォルダＦ１７は、修正加工を行った画像、そして、フォルダＦ１８は、お気に入り画像が保存されるフォルダである。
【００７３】
このフォルダ構成においても、顔認識によって誰が挿入したメモリカードかが分かるので、図５における個人別フォルダの中に、これらのフォルダをサブフォルダとして設けても良い。
【００７４】
次に、図１３は、本第１実施形態による画像配信システムに係る、ネットワークによるコンテンツ配信サービスの一例を示すブロック図である。１は、図２における画像表示装置、５２０は、図３におけるネットワークサービスサイト、５３０は、同じく配信コンテンツサイトである。
【００７５】
配信コンテンツサイト５３０からは、コンテンツが配信されるが、図１３に示すように、複数枚の静止画データと、テロップ用文字データと、音声データとから構成される。これらのコンテンツは、基本的に配信コンテンツサイト５３０からコンテンツサーバー５２４の中に置かれる。それを画像表示装置１の液晶表示パネル３に表示することになる。静止画のみを表示したり、その上にテロップ文字を流したり、音声や、音楽を流すことができる。
【００７６】
図１４は、本第１実施形態の特徴であるログ情報の解析について説明するための概念図である。ＣＰＵ１１は、撮像素子８で撮像されたユーザ（閲覧者）の画像を解析し、液晶表示パネル３に表示されている画像を閲覧している閲覧者の閲覧角度情報、距離情報を算出する。図４で説明したように、閲覧者の閲覧回数は、顔認識により、画像毎、あるいはコンテンツ毎にカウント可能である。ここで興味指数という概念を導入する。
【００７７】
図１４において、ＣＰＵ１１は、撮像素子８による撮像結果から、閲覧者と画像表示装置１との角度θ１、θ２、θ３を判断するとともに、画像表示装置１に対する閲覧者との距離Ｌ１、Ｌ２、Ｌ３を判断する。そして、角度と距離でそのコンテンツの注目度を解析し、興味指数としてログ情報に反映する。閲覧時間や、閲覧回数に加えて、閲覧者の顔、液晶表示パネル３に対する距離、角度、動きを認識すれば、様々な興味指数の取得が可能である。
【００７８】
液晶表示パネル３に対する動きとしては、例えば、顔認識により、コンテンツに注目しているときの閲覧者の液晶表示パネル３に対する閲覧角度の角度θ１から角度θ３への変化や、閲覧者の液晶表示パネル３に対する閲覧距離の距離Ｌ３から距離Ｌ２への変化を、アルゴリズム化してコンテンツへの興味指数としてログ情報に反映する。
【００７９】
また、事前に家族の顔認識をしておき、何のコンテンツを誰がどのぐらい見ていたかの情報をログ情報に反映してもよい。あるいは、家族の表情を認識しておき、そのコンテンツを見たときの反応（笑う、関心する、驚く）等の情報も反映してもよい。更に、１日、１週間、…等、画像表示装置１の設置場所での家族の滞在状況もログ情報に反映してもよい。また、認識情報だけでなく、お気に入りに登録したか、全画面表示にしたか等の操作も興味指数として反映してもよい。
【００８０】
図１５は、本第１実施形態による画像表示装置１でのログ記録の概略動作を示すフローチャートである。画像表示装置１が無線ＬＡＮなどでネットワークに接続されている前提で、ＣＰＵ１１は、コンテンツ表示モードにする（ステップＳ９０）。コンテンツ表示モードとは、配信コンテンツサイト５３０から配信されるコンテンツを受信して表示するモードであり、例えば、天気予報チャンネル、ファッションチャンネル、着こなし提案チャンネル、株価チャンネル、ライブカメラチャンネル、…などがある。コンテンツ情報は、図１３で説明したように、一旦、ネットワークサービスサイト５２０のコンテンツサーバー５２４に置かれ、そこから画像表示装置１に通信制御部３０を介してダウンロードされる。
【００８１】
そこで、ＣＰＵ１１は、ユーザに希望のチャンネルを選択させる（ステップＳ９２）。ユーザがチャンネルを選択すると、選択されたチャンネルの所定ページを表示する（ステップＳ９４）。撮像素子８は、基本的に常時撮影を行っており、顔認識エンジン１００により操作者（閲覧者）の顔を認識する（ステップＳ９６）。その後、ＣＰＵ１１は、閲覧者までの距離、閲覧者の閲覧方向を示す、垂直方向（画面から見て正面）からの角度を演算により求める（ステップＳ９８、ステップＳ１００）。更に、認識された顔が移動した場合、移動した距離や、角度を検出する（ステップＳ１０２）。図１４で説明したように、閲覧者の閲覧方向が、角度θ１から角度θ３へ変化したら、斜めから正面へ移動したということで興味指数が高いとみなす。また、画像表示装置１と閲覧者との距離が、距離Ｌ３から距離Ｌ１へ変化したら、画面に近づいたということで、やはり興味指数が高いとみなす。
【００８２】
ＣＰＵ１１は、これらの情報を総合して興味指数を演算する（ステップＳ１０４）。興味指数の演算方法は、いろいろ考えられるが、例えば、個人識別コード“１００１”の「お父さん」のそのコンテンツに対する興味指数は、「見た回数」、「見た時間」、「見た距離」、「見た角度」、「見ている際の移動状況」、「お気に入り登録操作」、「全画面表示操作」に依存する。これをログ情報として反応ログメモリ３００に記録する（ステップＳ１０６）。
【００８３】
この状態において、何らかの操作が行われたか否かを判断し（ステップＳ１０８）、例えば、別のチャンネル選択操作が行われた場合には、ステップＳ９２へ戻り（Ａ）、同じチャンネルの別の画面を指定する操作が行われた場合には、ステップＳ９４へ戻る（Ｂ）。それ以外の操作が行われた場合には、その操作に従って必要な処理フローへ進む（ステップＳ１１０のＣ）。
【００８４】
このログ情報は、ネットワークサービスサイト５２０にとっては、どんなコンテンツの購入を行うか、どのような表示をさせるかの重要な情報となり、配信コンテンツサイト５３０にとっては、コンテンツ作成上、また課金金額を決定するための重要な情報となる。更に、閲覧者の顔を認識してその人の興味のあるコンテンツを自動的に表示することも可能である。
【００８５】
図１６は、本第１実施形態において、配信コンテンツサイト５３０から配信され、ネットワークサービスサイト５２０のコンテンツサーバー５２４に一時的に記憶されるコンテンツのファイル構成の一例を示す概念図である。Ｃ１は、ヘッダで、配信会社情報、データの種類、データのサイズなど、コンテンツファイル自身の特徴を示すデータが書き込まれる。Ｃ２は、アプリケーションであり、このコンテンツがプログラムで動く場合のプログラムが書き込まれる。例えば、アドビフラッシュ（登録商標）、ＪＡＶＡ（登録商標）などである。Ｃ３は、コンテンツの主体である実際に表示されるデータ部分である。Ｃ４は、音声データ、Ｃ５は、図１３に示したようなテロップを含む文字データ、Ｃ６は、上記アプリケーションＣ２が使うパーツデータ、Ｃ７は、配信先、配信時間などを含む配信情報、Ｃ８は、有料コンテンツの場合の課金情報、Ｃ９は、広告を含む場合の広告情報である。
【００８６】
Ｃ１０は、上述したように認識結果である個人識別コードを含む閲覧者情報、Ｃ１１は、上述したように「見た回数」、「見た時間」、「見た距離」、「見た角度」、「見ている際の移動状況」、「お気に入り登録操作」、「全画面表示操作」から算出された興味指数情報である。この閲覧者情報Ｃ１０と興味指数情報Ｃ１１とは、このコンテンツを特定するヘッダＣ１とともに反応ログメモリ３００に保存される。
【００８７】
なお、本第１実施形態では、撮像素子による認証を行ったが、タッチパネル５や、ボタン部に指紋認証や、静脈認証技術を用いて、指紋認証や、静脈認証によるログ情報の解析の例として、個人割り当てのボタンを用意してチャンネル選択の時間帯等を情報化する、広告ウインドウを閉じたか、押して更に詳細情報を見たかの情報を採取したか、コンテンツ配信側が出す案内情報のウインドウ選択状況もログ解析に反映する、画像の静止ボタンやダウンロードボタンを何のコンテンツで誰が押したかを情報として採取する、などを興味指数に取り入れることができる。
【００８８】
上述した本第１実施形態によれば、多数の画像の中から興味指数によりユーザの興味が高いと思われる画像を識別することができる。これらの画像を他人に送信する場合は、興味が異なっている場合もあるが、孫世帯と祖父母世帯のような関係であれば、興味の方向性は近いと考えられ、特にユーザが孫世帯であって、祖父母世帯に送ることを想定しながら画像を閲覧している場合には、興味指数の高い画像を祖父母世帯に送ることは有効である。
【００８９】
Ｂ．第２実施形態
次に、本発明の第２実施形態について説明する。
図１７は、図３におけるネットワークサービスサイト５２０を中心とした本第２実施形態による画像表示装置１が適用されるネットワーク系の構成を示すブロック図である。なお、図３に対応する部分には同一の符号を付けて説明を省略する。図１７において、１−１、１−２は、画像表示装置であり、無線ＬＡＮ３２等で通信制御部３０を介してインターネット５００に接続している。本第２実施形態では、例えば、孫とその親（孫世帯）と、離れて暮らしている祖父母（祖父母世帯）などの、離れた場所間での画像転送を想定しており、画像表示装置１−１は、孫世帯に設置されており、画像表示装置１−２は、祖父母世帯に設置されているものとする。
【００９０】
ネットワークサービスサイト５２０は、前述した図３と同様の構成であるが、本第２実施形態では、画像表示装置１−１から一括して画像データを受信し、適宜、所定の条件に合致する画像をメールに添付して画像表示装置１−２に送信するようになっている。そのため、図３に示すコンテンツサーバー５２４の１つとして画像選択サーバー５２５を備えている。画像選択サーバー５２５は、一括して受信した画像の中から所定の条件に合致する画像を選択する。
【００９１】
孫世帯が、デジタルカメラなどで撮影し、画像表示装置１−１に溜めこんである沢山の写真を、選別せずに丸ごと、祖父母世帯の画像表示装置１−２に送信したとしても、祖父母世帯には関係のない画像が送信されてしまい、無駄が多い。ランダムに選択することも考えられるが、面白みのない写真が祖父母世帯に配信されてしまうことになりかねない。そこで、例えば、沢山の写真の中から、例えば、孫の写真を選別して送信することが考えられる。しかしながら、選別作業が必要となると、忙しい毎日を過ごしている孫世帯は、選別作業の煩わしさから利用しなくなってしまう可能性がある。
【００９２】
そこで、本第２実施形態では、画像表示装置１−１からは、溜めこんである沢山の写真を一括してネットワークサービスサイト５２０の画像選択サーバー５２５に送信し、画像選択サーバー５２５が、複数の写真の中から、毎日一枚ずつ所定の条件に合致する写真を選択し、メール添付して、祖父母世帯の画像表示装置１−２に配信する。これにより、祖父母世帯では、毎日違った孫世帯の写真がメールで届くので、日々の楽しみが増え、心豊かな生活が送れるようになる。
【００９３】
図１８は、本第２実施形態による画像表示装置１−１のメモリカード６０に記憶されている画像ファイルの構造を示す概念図である。各画像ファイルは、前述したように、一般的なデジタルカメラのファイルフォーマットに準拠し、ＥＸＩＦ（Exchangeable Image File Format）などのデータを有するヘッダＧ１と、撮影された画像であり本画像である画像データＧ２と、その画像データＧ２の縮小画像であるサムネイルＧ３の画像データを含む。本第２実施形態に特有のデータとして、Ｇ９は、当該画像の閲覧時間を記憶する。
【００９４】
以下、本第２実施形態の画像表示装置１−１、１−２及びネットワークシステムの具体的な動作についてフローチャートを参照しながら説明する。なお、説明を分かりやすくするために、フローチャートは、操作者の操作手順に沿った表現となっているが、これに伴って回路やデータの動きについて説明をしていく。
【００９５】
図１９は、本第２実施形態による孫世帯に設置されている画像表示装置１−１の再生動作について説明するフローチャートである。ユーザ（操作者：登録されているユーザと登録されていないユーザとを含む）が画像を再生しようとして画像表示装置１−１の前に来ると、撮像素子８が撮像しているので、ＣＰＵ１１と顔認識エンジン１００とが協働して操作者の顔を認識し（ステップＳ１２０）、再生操作があったか否かを判断し（ステップＳ１２２）、再生操作があると、認識した顔のユーザが登録されているか否かを判断する（ステップＳ１２４）。
【００９６】
そして、顔が登録されていれば、画像表示装置１−１のユーザであると推定できるので、対応するフォルダ、例えば、認識されたのがお父さんであれば、お父さんフォルダＦ１に保存されている画像と共用フォルダＦ６に保存されている画像とを再生可能にする（ステップＳ１２６）。他の人のフォルダ、例えばお母さんフォルダＦ２、妹フォルダＦ４などは勝手に再生できない。一方、顔が登録されていなければ、共用フォルダＦ６に保存されている画像のみを再生可能にする（ステップＳ１２８）。
【００９７】
但し、顔認識エンジン１００は、画像に写っている複数のユーザの顔を認識可能なので、お父さんと一緒にお母さんも写っていれば、お母さんフォルダＦ２の内容も再生可能となる。次に、再生タイマを始動し（ステップＳ１３０）、該当フォルダの画像を１つ選択し（ステップＳ１３２）、選択した画像を液晶表示パネル３で再生（表示）する（ステップＳ１３４）。再生タイマは、当該画像の閲覧時間を計時するためのものである。画像の再生中は、次の画像再生への移行操作があったか否か（ステップＳ１３６）、操作者が存在しているか否か（ステップＳ１３８）、再生の終了操作があったか否か（ステップＳ１４２）を判断する。
【００９８】
そして、次の画像再生への移行操作があった場合には（ステップＳ１３６のＹＥＳ）、再生タイマによる計時時間、すなわち閲覧時間を画像ファイルに保存し（図１８を参照）、再生タイマをリセットする（ステップＳ１４０）。次に、ステップＳ１３０に戻り、次の画像を再生する。
【００９９】
また、画像表示装置１−１は、画像の再生中も、撮像素子８で操作者を撮像しているので、ＣＰＵ１１と顔認識エンジン１００とが協働して操作者の顔を認識し、操作者の存在を確認している。これは、再生中に、操作者がいなくなり放置される場合もあり得るので、ユーザがいなくなった場合には（ステップＳ１３８のＮＯ）、上述したように、ステップＳ１４０で、再生タイマによる閲覧時間を画像ファイルに保存し（図１８を参照）、再生タイマをリセットする。
【０１００】
また、次の画像再生への移行操作がなく、操作者が存在している場合に（ステップＳ１３６のＮＯ、ステップＳ１３８のＹＥＳ）、再生終了操作もない場合には（ステップＳ１４２のＮＯ）、ステップＳ１３４に戻り、当該画像の再生を継続する。そして、再生終了操作があると（ステップＳ１４２のＹＥＳ）、当該処理を終了する。
【０１０１】
画像表示装置１−１は、所定のタイミング、またはユーザ操作により、予め設定されていたフォルダのすべての画像を一括して画像選択サーバー５２５に転送する。
【０１０２】
図２０は、本第２実施形態による画像選択サーバー５２５の動作を説明するためのフローチャートである。画像選択サーバー５２５では、まず、（祖父母世帯への）転送タイミング（予め設定された時刻、あるいは時間間隔）であるか否かを判断する（ステップＳ１５０）。そして、転送タイミングでない場合には（ステップＳ１５０のＮＯ）、当該処理を終了する。
【０１０３】
一方、転送タイミングである場合には（ステップＳ１５０のＹＥＳ）、予め設定されている転送先アドレス（祖父母世帯の画像表示装置１−２）を取得し（ステップＳ１５２）、事前に受信していた画像が保存されているフォルダから１つの画像を取得し（ステップＳ１５４）、取得した画像の閲覧時間が所定の閾値以上であるか否かを判断する（ステップＳ１５６）。ここでの閾値は、例えば、３０秒、１分などの値をとる。
【０１０４】
そして、当該画像の閲覧時間が所定の閾値以上でない場合には（ステップＳ１５６のＮＯ）、ステップＳ１５４へ戻り、次の画像について上述した判断処理を実行する。一方、当該画像の閲覧時間が所定の閾値以上である場合には、興味を持って閲覧されたと判断し、当該画像を転送先にメールに添付して祖父母世帯の画像表示装置１−２に送信する（ステップＳ１５８）。次に、フォルダ内のすべての画像について処理したか否かを判断し（ステップＳ１６０）、未処理の画像がある場合には（ステップＳ１６０のＮＯ）、ステップＳ１５４に戻り、次の画像について上述した判断処理を実行する。一方、すべての画像について処理した場合には（ステップＳ１６０のＹＥＳ）、当該処理を終了する。
【０１０５】
なお、上記処理では、転送タイミングになると、フォルダ内の画像のうち、閲覧時間が閾値以上の画像を次々と祖父母世帯の画像表示装置１−２に送信するようにしたが、これに限らず、例えば、１日に１つの画像というように、転送タイミング、転送する画像数を適宜制御するようにしてもよい。また、選択条件としては、閲覧時間に代えて、閲覧回数でもよいし、閲覧時間に閲覧回数を加えてもよい。
また、図１８に示した閲覧時間情報Ｇ９を含む画像を送信するようにしたが、図２１におけるステップＳ１５８でメールに添付する画像は図４に示す元画像でもよい。
【０１０６】
このように、本第２実施形態では、画像の再生時間、すなわち、その閲覧時間を画像ファイルに保存することで、その画像がどの程度閲覧されていたかを認識することが可能となる。閲覧時間が長い、あるいは閲覧回数が多いということは、その画像に対する興味の度合いが高いと言えるので、祖父母世帯にとっても興味が持てる画像である可能性が高い。そして、孫世帯の画像表示装置１−１は、画像選択サーバー５２５へ一括して画像を送信しておき、該画像選択サーバー５２５で、閲覧時間、あるいは閲覧回数に基づいて、祖父母世帯の画像表示装置１−２に送信する画像を選択して送信する。これにより、祖父母世帯の画像表示装置１−２には、毎日違った興味の度合いが高い画像（孫の写真など）がメールで届くので、日々の楽しみが増え、心豊かな生活が送れるようになる。
【０１０７】
Ｃ．第３実施形態
次に、本発明の第３実施形態について説明する。
上述した第２実施形態では、画像の閲覧時間に応じて祖父母世帯の画像表示装置１−２に送信する画像を選択したが、本第３実施形態では、画像を顔認識し、該顔認識結果に従って、祖父母世帯の画像表示装置１−２に送信する画像を選択する。例えば、孫の顔が写っている画像を選択することで、毎日違った画像（孫世帯の写真など）を送信することができる。なお、画像配信システムの構成は、図１７と同様であるので説明を省略する。
【０１０８】
図２１は、本第３実施形態による画像表示装置１−１のメモリカード６０に記憶されている画像ファイルの構造を示す概念図である。各画像ファイルは、前述したように、一般的なデジタルカメラのファイルフォーマットに準拠し、ＥＸＩＦ（Exchangeable Image File Format）などのデータを有するヘッダＧ１と、撮影された画像であり本画像である画像データＧ２と、その画像データＧ２の縮小画像であるサムネイルＧ３の画像データを含む。本第３実施形態に特有のデータとして、Ｇ９は、当該画像を顔認識した結果を記憶する。具体的には、顔認識した結果、該画像に含まれる（写っている）人物（複数であってもよい）の個人識別コードを記憶する。
【０１０９】
以下、本第３実施形態の画像表示装置１−１、１−２及びネットワークシステムの具体的な動作についてフローチャートを参照しながら説明する。なお、説明を分かりやすくするために、フローチャートは、操作者の操作手順に沿った表現となっているが、これに伴って回路やデータの動きについて説明をしていく。
【０１１０】
図２２は、本第３実施形態による画像表示装置１−１において、ＳＤカードなどのメモリカード６０がメモリカードスロット６に差し込まれた際に、メモリカード６０に記憶されている画像を内部メモリ１４に保存する際の手順を示すフローチャートである。まず、メモリカード６０がメモリカードスロット６に挿入されたか否かを判断し（ステップＳ１７０）、メモリカード６０がメモリカードスロット６に挿入されると、ＣＰＵ１１は、そのとき撮像素子８により撮影されているユーザの顔に対して、顔認識エンジン１００を用いて顔認識を行う（ステップＳ１７２）。
【０１１１】
次に、顔認識した顔に対して、個人識別コードが登録されているか否かを判断する（ステップＳ１７４）。そして、存在していない新しいユーザであれば、新たに識別コードを発行して顔を登録するとともに、フォルダを作成する（ステップＳ１７６）。一方、操作しているユーザが識別コード“１００１”のお父さんであれば、フォルダＦ１を選択する（ステップＳ１７８）。登録されていないユーザの画像保存はできないようにしてもよい。
【０１１２】
次に、液晶表示パネル３に表示されている保存ボタンが押されたか否かを判断し（ステップＳ１８０）、保存ボタンがタッチキー５を介して押されると、メモリカード６０に記録されている画像を、該当するフォルダにコピーする（ステップＳ１８２）。すなわち、ユーザ（操作者）は、特に意識することなく、自分のフォルダに画像を保存することができる。その後、適宜、メニューに従ってフォルダ内での分類によるサブフォルダ作成や、シークレットフラグの設定を行うことができる。
【０１１３】
次に、フォルダにコピーした画像に対する顔認識を行い（ステップＳ１８４）、顔認識結果を画像ファイルに保存する（ステップＳ１８６）。例えば、画像に孫の顔が含まれているならば、孫の個人識別コードが記憶される。次に、フォルダ内のすべての画像について処理したか否かを判断し（ステップＳ１８８）、未処理の画像がある場合には（ステップＳ１８８のＮＯ）、ステップＳ１８４に戻り、次の画像について上述した顔認識処理を実行する。一方、すべての画像について処理した場合には（ステップＳ１８８のＹＥＳ）、当該処理を終了する。これにより、各画像に含まれる（写っている）人物が認識可能となる。
【０１１４】
図２３は、本第３実施形態による画像選択サーバー５２５の動作を説明するためのフローチャートである。画像選択サーバー５２５では、まず、（祖父母世帯への）転送タイミング（予め設定された時刻、あるいは時間間隔）であるか否かを判断する（ステップＳ２００）。そして、転送タイミングでない場合には（ステップＳ２００のＮＯ）、当該処理を終了する。
【０１１５】
一方、転送タイミングである場合には（ステップＳ２００のＹＥＳ）、予め設定されている転送先アドレス（祖父母世帯の画像表示装置１−２）を取得し（ステップＳ２０２）、事前に受信していた画像が保存されているフォルダから１つの画像を取得し（ステップＳ２０４）、取得した画像の顔認識結果に例えば「孫」が含まれているか否かを判断する（ステップＳ２０６）。
【０１１６】
そして、当該画像の顔認識結果に「孫」が含まれていない場合には（ステップＳ２０６のＮＯ）、ステップＳ２０４へ戻り、次の画像について上述した判断処理を実行する。一方、当該画像の顔認識結果に「孫」が含まれている場合には、当該画像を転送先にメールに添付して祖父母世帯の画像表示装置１−２に送信する（ステップＳ２０８）。次に、フォルダ内のすべての画像について処理したか否かを判断し（ステップＳ２１０）、未処理の画像がある場合には（ステップＳ２１０のＮＯ）、ステップＳ２０４に戻り、次の画像について上述した判断処理を実行する。一方、すべての画像について処理した場合には（ステップＳ２１０のＹＥＳ）、当該処理を終了する。
【０１１７】
なお、上記処理では、転送タイミングになると、フォルダ内の画像のうち、「孫」の顔が含まれる画像を次々と祖父母世帯の画像表示装置１−２に送信するようにしたが、これに限らず、例えば、１日に１つ画像というように、転送タイミング、転送する画像数を適宜制御するようにしてもよい。
【０１１８】
また、上記第３実施形態では、図２１に示した顔認識結果情報Ｇ９を含む画像を送信するようにしたが、図２３におけるステップＳ２０８でメールに添付する画像は図４に示す元画像でもよい。
【０１１９】
また、上記第３実施形態では、画像表示装置１−１で、画像に対して顔認識を行い、該顔認識結果を保存するようにしたが、これに限らず、画像表示装置１−１からは、単に、一括して画像を画像選択サーバー５２５に送信し、画像選択サーバー５２５で、受信した各画像に対して顔認識を行い、該顔認識結果に基づいて、祖父母世帯の画像表示装置１−２に送信すべき画像を選択するようにしてもよい。
【０１２０】
また、顔認識結果に基づいて送信すべき画像と判断された時点で、その画像を画像選択サーバー５２５に送信してしまう（記憶エリアを変える：画像を移動させる）ことによって、送信すべき画像を区別することができるので、画像ファイルにおける、興味指数や閲覧回数等を保存するための領域Ｇ８やＧ９が不要となる。
【０１２１】
このように、本第３実施形態では、孫世帯の画像表示装置１−１で、画像に対して顔認識処理を実行し、該顔認識結果を画像ファイルに保存することで、画像選択サーバー５２５で、顔認識結果に基づいて、祖父母世帯の画像表示装置１−２に送信する画像を選択して送信する。これにより、祖父母世帯の画像表示装置１−２には、毎日違った興味の度合いが高い画像（孫の写真など）がメールで届くので、日々の楽しみが増え、心豊かな生活が送れるようになる。
【０１２２】
Ｄ．第４実施形態
次に、本発明の第４実施形態について説明する。
図２４は、本第４実施形態による画像表示装置１−２が適用されるネットワーク系の構成を示すブロック図である。なお、図１７に対応する部分には同一の符号を付けて説明を省略する。５１０はパーソナルコンピュータであり、無線ＬＡＮ３２等で通信制御部３０を介して画像表示装置１−１と接続でき、画像表示装置１−１ではできない画像編集（画像修正や、画像加工）を行うことができる。
【０１２３】
本第４実施形態によるパーソナルコンピュータ５１０は、画像表示装置１−１に保存されている画像に対して画像編集を行う。このとき、画像編集を行った画像に対する編集履歴（編集時間、編集回数、いずれも積算値）を、画像ファイルに保存するようになっている。また、本第４実施形態によるネットワークサービスサイト５２０は画像選択サーバー５２５を備えており、該画像選択サーバー５２５が、画像表示装置１−１から一括して画像データを受信し、上記編集履歴（編集時間、編集回数）に基づいて画像を選択し、選択した画像をメールに添付して画像表示装置１−２に送信するようになっている。
【０１２４】
図２５は、本第４実施形態による画像表示装置１−１のメモリカード６０に記憶されている画像ファイルの構造を示す概念図である。各画像ファイルは、前述したように、一般的なデジタルカメラのファイルフォーマットに準拠し、ＥＸＩＦ（Exchangeable Image File Format）などのデータを有するヘッダＧ１と、撮影された画像であり本画像である画像データＧ２と、その画像データＧ２の縮小画像であるサムネイルＧ３の画像データを含む。本第４実施形態に特有のデータとして、Ｇ９は、当該画像の編集履歴（編集時間、編集回数）を記憶する。
【０１２５】
以下、本第４実施形態の画像表示装置１−１、１−２及びネットワークシステムの具体的な動作についてフローチャートを参照しながら説明する。なお、説明を分かりやすくするために、フローチャートは、操作者の操作手順に沿った表現となっているが、これに伴って回路やデータの動きについて説明をしていく。
【０１２６】
図２６は、本第４実施形態によるパーソナルコンピュータ５１０の編集動作について説明するフローチャートである。パーソナルコンピュータ５１は、ユーザによる画像の編集指示があるか否かを判断し（ステップＳ２２０）、編集指示がない場合には（ステップＳ２２０のＮＯ）、当該処理を終了する。一方、編集指示があった場合には（ステップＳ２２０のＹＥＳ）、無線ＬＡＮ３２等で通信制御部３０を介して画像表示装置１−１と接続し、画像表示装置１−１に保存されている（ユーザ指定の）画像を取り込む（ステップＳ２２２）。次に、編集タイマを始動する（ステップＳ２２４）。編集タイマは、当該画像に対する編集処理に係る時間を計時するためのものである。
【０１２７】
次に、ユーザ操作に応じて画像に対する画像編集を実行する（ステップＳ２２６）。画像の編集中は、当該画像に対して編集終了操作があったか否かを判断し（ステップＳ２２８）、当該画像に対する編集終了操作がない場合には（ステップＳ２２８のＮＯ）、ステップＳ２２６に戻り、編集処理を継続する。
【０１２８】
一方、当該画像に対して編集終了操作があった場合には（ステップＳ２２８のＹＥＳ）、編集タイマによる計時時間（または編集回数）を編集履歴として画像ファイルに保存し、編集タイマをリセットする（ステップＳ２３０）。次に、ユーザによる編集終了操作があったか否かを判断し（ステップＳ２３２）、編集終了操作がない場合には（ステップＳ２３０のＮＯ）、ステップＳ２２２に戻り、次の画像に対する編集処理を実行する。一方、編集終了操作があった場合には（ステップＳ２３２のＹＥＳ）、当該処理を終了する。
【０１２９】
画像表示装置１−１は、所定のタイミング、またはユーザ操作により、予め設定されていたフォルダのすべての画像を一括して画像選択サーバー５２５に転送する。
【０１３０】
図２７は、本第４実施形態による画像選択サーバー５２５の動作を説明するためのフローチャートである。画像選択サーバー５２５では、まず、（祖父母世帯への）転送タイミング（予め設定された時刻、あるいは時間間隔）であるか否かを判断する（ステップＳ２４０）。そして、転送タイミングでない場合には（ステップＳ２４０のＮＯ）、当該処理を終了する。
【０１３１】
一方、転送タイミングである場合には（ステップＳ２４０のＹＥＳ）、予め設定されている転送先アドレス（祖父母世帯の画像表示装置１−２）を取得し（ステップＳ２４２）、事前に受信していた画像が保存されているフォルダから１つの画像を取得し（ステップＳ２４４）、取得した画像に対する編集履歴が所定の閾値以上（編集時間、または編集回数が所定の閾値以上）であるか否かを判断する（ステップＳ２４６）。ここでの閾値は、編集時間であれば、３０分、１時間などの値、編集回数であれば、例えば、５回、１０回などの値をとる。
【０１３２】
そして、当該画像に対する編集履歴が所定の閾値以上でない場合には（ステップＳ２４６のＮＯ）、ステップＳ２４４へ戻り、次の画像について上述した判断処理を実行する。一方、当該画像に対する編集履歴が所定の閾値以上である場合には、興味を持って編集されたと判断し、当該画像を転送先にメールに添付して祖父母世帯の画像表示装置１−２に送信する（ステップＳ２４８）。次に、フォルダ内のすべての画像について処理したか否かを判断し（ステップＳ２５０）、未処理の画像がある場合には（ステップＳ２５０のＮＯ）、ステップＳ２４４に戻り、次の画像について上述した判断処理を実行する。一方、すべての画像について処理した場合には（ステップＳ２５０のＹＥＳ）、当該処理を終了する。
【０１３３】
なお、上記処理では、転送タイミングになると、フォルダ内の画像のうち、編集履歴が閾値以上の画像を次々と祖父母世帯の画像表示装置１−２に送信するようにしたが、これに限らず、例えば、１日に１つの画像というように、転送タイミング、転送する画像数を適宜制御するようにしてもよい。
また、図２５に示した編集履歴情報Ｇ９を含む画像を送信するようにしたが、図２７におけるステップＳ２４８でメールに添付する画像は図４に示す元画像でもよい。
【０１３４】
このように、本第４実施形態では、画像に対する編集履歴を画像ファイルに保存することで、その画像がどの程度編集されていたかを認識することが可能となる。編集履歴（編集時間、または編集回数）が長い、または多いということは、その画像に対する興味の度合いが高いと言えるので、祖父母世帯にとっても興味が持てる画像である可能性が高い。そして、孫世帯の画像表示装置１−１は、画像選択サーバー５２５へ一括して画像を送信しておき、該画像選択サーバー５２５で、編集履歴に基づいて、祖父母世帯の画像表示装置１−２に送信する画像を選択して送信する。これにより、祖父母世帯の画像表示装置１−２には、毎日違った興味の度合いが高い画像（孫の写真など）がメールで届くので、日々の楽しみが増え、心豊かな生活が送れるようになる。
【０１３５】
Ｅ．第５実施形態
次に、本発明の第５実施形態について説明する。
上述した第１〜第４実施形態では、興味指数や、閲覧回数、閲覧時間、編集履歴などに基づいて、送信すべき画像ファイルを選択し、これら興味指数や、閲覧時間、閲覧回数、顔認識結果、編集履歴、コピー回数、印刷回数、他の機器への転送の有無、顔認識による閲覧者の表情などを画像ファイルに保存していたが、本第５実施形態では、送付すべき画像ファイルに上記情報を保存することなく、送付すべき画像を別の記憶領域に仕分けしておき、所定のタイミングで、仕分けしておいた送付すべき画像を祖父母世帯に送信する。なお、画像配信システムの構成は、図１７と同様であるので説明を省略する。また、以下では、画像の選択に興味指数を用いて説明する。
【０１３６】
図２８は、本第５実施形態による画像選択サーバー５２５の構成を示すブロック図である。画像選択サーバー５２５は、孫世帯の画像表示装置１−１で祖父母に配信すべく抽出された画像が保持される抽出エリア５２５ａ、祖父母に配信した画像が保持される送信エリア５２５ｂを備えている。
【０１３７】
図２９は、本第５実施形態による孫世帯の画像表示装置１−１の動作を説明するためのフローチャートである。まず、所定のタイミングであるか否かを判断する（ステップＳ２６０）。ここで、所定のタイミングとは、所定のフォルダに保持されている画像の閲覧、再生、編集などのユーザ操作(動作）が発生したタイミングであり、興味指数等の変動要因が発生するごとにＹＥＳとなって次のステップへ進むが、１時間に１度等、定期的に実行してもよい。
【０１３８】
そして、所定のタイミングになると（ステップＳ２６０のＹＥＳ）、画像表示装置１−１は、所定のフォルダに保持されている画像に対する興味指数を算出し（ステップＳ２６２）、興味指数が閾値以上の画像を画像選択サーバー５２５に送信する（ステップＳ２６４）。
【０１３９】
より具体的には、興味指数の場合には、第１実施形態における図１５のステップＳ１０６で興味指数を反応ログメモリ３００に記録するタイミングで、その興味指数が閾値以上であれば、該当画像を画像選択サーバー５２５に送信する。
【０１４０】
また、閲覧時間の場合には、第２実施形態における図１９のステップＳ１４０で閲覧時間を画像ファイルに保存するタイミングで、その閲覧時間が閾値以上であれば、該当画像を画像選択サーバー５２５に送信する。
【０１４１】
また、顔認識結果の場合には、第３実施形態における図２２のステップＳ１８６で顔認識結果を画像ファイルに保存するタイミングで、その顔認識結果に「孫」が含まれている場合には、該当画像を画像選択サーバー５２５に送信する。
【０１４２】
また、編集履歴（時間、回数）の場合には、第４実施形態における図２６のステップＳ２３０で編集履歴を画像ファイルに保存するタイミングで、その編集履歴（編集時間ｏｒ編集回数）が閾値以上であれば、該当画像を画像選択サーバー５２５に送信する。
【０１４３】
上述した動作により、画像表示装置１−１に蓄積されている画像は、閲覧される度に、その画像の興味指数が算出され、該興味指数が閾値以上になった場合には、画像選択サーバー５２５に送信されることになる。つまり、興味指数の高い画像が祖父母世帯に送る画像として画像選択サーバー５２５に送信されることになる。
【０１４４】
このように、上記第１〜第４実施形態において、興味指数等の領域Ｇ９を作成する代わりに、画像選択サーバー５２５に画像を転送することで、興味指数、閲覧時間、顔認識結果、編集履歴（時間、回数）などを、画像ファイルに保存する必要がなくなる。
【０１４５】
図３０は、本第５実施形態による画像選択サーバー５２５の動作を説明するためのフローチャートである。まず、画像選択サーバー５２５は、画像表示装置１−１から画像を受信したか否かを判断し（ステップＳ２７０）、画像を受信すると（ステップＳ２７０のＹＥＳ）、抽出エリア５２５ａに保存する（ステップＳ２７２）。
【０１４６】
次に、抽出した画像の祖父母へ送信タイミングであるか否かを判断する（ステップＳ２７４）。抽出した画像の送信は、上記抽出タイミングと同期させて行ってもよいし、抽出タイミングとは異なる、予め設定した曜日、日付の所定の時刻にまとめて行ってもよいし、抽出エリア５２５ａに保存した画像ファイルの数が所定数に達したタイミングで行ってもよい。
【０１４７】
そして、送信タイミングでない場合には（ステップS２７４のＮＯ）、ステップＳ２７０に戻る。一方、送信タイミングになると（ステップＳ２７４のＹＥＳ）、画像選択サーバー５２５は、抽出エリア５２５ａに保存されている画像を、メールに添付して祖父母世帯の画像表示装置１−２に送信する（ステップＳ２７６）。次に、送信した画像を抽出エリア５２５ａから送信エリア５２５ｂへ移動し（ステップＳ２７８）、当該処理を終了する。
【０１４８】
このように、送信した画像を送信エリア５２５ｂに移動するのは、同じ画像の重複記憶を避けるためと、送信した画像が送信エリア５２５ｂに溜まっていくので、何を送信したかが分かり、また（祖父母にとって）重要な写真が集約されることになる。
【０１４９】
このように、本第５実施形態では、孫世帯の画像表示装置１−１で、送信すべき画像と判断された時点で、その画像を画像選択サーバー５２５に送信してしまう（記憶エリアを変える：画像を移動させる）ことによって、送信すべき画像を区別することができるので、画像ファイルにおける、興味指数等を保存するための領域Ｇ９が不要となる。
【０１５０】
上述した第５実施形態によれば、孫世帯の画像表示装置１−１で、送信すべき画像と判断された時点で、その画像を画像選択サーバー５２５に送信しておき、画像選択サーバー５２５で、所定の送信タイミングになると、保存しておいた画像ファイルを祖父母世帯に送信するようにしたので、送信すべき画像ファイルに興味指数等の情報を付けることなく、送信すべき画像を区別することができる。
【０１５１】
なお、上述した第５実施形態において、送信した画像を送信エリア５２５ｂに移動しなくても、ファイル名等の画像識別情報だけを、送信エリア５２５ｃに記録するようにしてもよい。その際は、送信した画像を区別するための何らかのフラグか、リンク情報が必要になる。
【０１５２】
また、抽出エリア５２５ａに複数の画像が置かれる場合には、祖父母への送信タイミングで、どのような順番で画像を送信するかを決めなければならないが、例えば、書き込まれた順、撮影日順、ファイル名順、ランダム、等が考えられる。もちろん１度に１枚という制約があるわけではなく、日によって送信枚数が違ったり、抽出エリア５２５ａに保存されている画像を一気に送ったり、抽出エリア５２５ａに画像が所定枚数溜まったら送るようにすることもできる。
【０１５３】
なお、上述した第５実施形態において、興味指数や、閲覧回数、閲覧時間、編集履歴などを、上記第１〜第４実施態様と同様に、画像ファイル自体の領域Ｇ９に記録してもよい。
【０１５４】
なお、上記各実施形態では、送信すべき画像を選択する条件として、興味指数、閲覧時間、閲覧回数、顔認識結果、編集履歴を挙げたが、これに限らず、コピー回数、印刷回数、孫世帯の画像表示装置１−１でのコピー・表示操作の有無、孫世帯での自身の携帯電話に対するメール転送・コピー、待受け画面への設定の有無、パーソナルコンピュータ５１や孫世帯の画像表示装置１−１での表示の有無、画像表示装置１−１で撮影した閲覧者に対する顔認識による笑顔の度合い、などを選択条件としてもよい。
【０１５５】
また、上記第１〜第４実施形態では、送信すべき画像の選択を、画像選択サーバー５２５で行う例について説明したが、これに限らず、第５実施形態のように、画像表示装置１−１で画像を選択し、該選択した画像を画像選択サーバー５２５に送信するようにしてもよい。この場合、画像選択サーバー５２５は、配信機能のみを担う。
【０１５６】
また、上記第１〜第５実施形態において、（例えば、フォルダ単位で）予め全画像を画像選択サーバー５２５に送信しておき、孫世帯の画像表示装置１−１における、画像に対する興味指数をリアルタイムで画像選択サーバー５２５に送信し（興味指数と画像のファイル名とを紐付けして送信）、画像選択サーバー５２５において、受信した興味指数が閾値以上であるか否かを判断し、閾値以上である場合に、対応する画像を、祖父母世帯の画像表示装置１−２に送信するようにしてもよい。この場合も、送信すべき画像ファイルに興味指数等の情報を付けることなく、送信すべき画像を区別することができる。
【０１５７】
また、上記第１〜第５実施形態では、送信すべき画像を選択する条件として、興味指数、閲覧時間、閲覧回数、顔認識結果、編集履歴を、画像表示装置１−１で生成していたが、これに限らず、例えば、興味指数であれば、顔認識結果や、距離、角度、移動などを、リアルタイムで画像選択サーバー５２５に送信し、画像選択サーバー５２５で興味指数を算出するようにしてもよい。この場合も、送信すべき画像ファイルに興味指数等の情報を付けることなく、送信すべき画像を区別することができる。
【０１５８】
また、スチルインムービー（動画撮影中に静止画を撮影することをいう）で撮影した静止画の場合、その静止画が撮影された時刻の近傍の動画を解析し、解析の結果、その動画が楽しげなシーンならば、当該静止画も楽しい写真である可能性が高いので、祖父母世帯の画像表示装置１−２へ送信すべき画像として選択するようにしてもよい。
【０１５９】
また、スチルインムービーで撮影した静止画の場合、その静止画に孫が写っていた場合に、その静止画の撮影された時刻の近傍の動画を解析し、解析の結果、その動画が楽しげなシーンだったならば、当該静止画が孫を囲んだ楽しい写真である可能性が高いので、祖父母世帯の画像表示装置１−２へ送信すべき画像として選択するようにしてもよい。
【０１６０】
なお、上記「楽しげなシーン」の判定は、「音声レベルが上がった(笑い声、話し声が大きくなった)」、「動画に写っている人の顔が笑顔」などを条件に判定することが可能である。
【０１６１】
また、送信して欲しくない画像を選択しないように設定することも可能である。例えば、写真の閲覧時間は長いが、写っている顔が変な表情（怒った顔、泣き顔など）であれば、メール送信しないように設定するようにしてもよい。
【０１６２】
なお、上記第１〜第５実施形態において、メモリカード６０としてＳＤカードを例にとって説明したが、メモリ媒体であればカード形状である必要はなく、ＵＳＢでハードディスクドライブを接続し、そこに記憶されている画像を取り込むようにしてもよい。
【０１６３】
以上、この発明の実施形態について説明したが、この発明は、これらに限定されるものではなく、特許請求の範囲に記載された発明とその均等の範囲を含むものである。
以下に、本願出願の特許請求の範囲に記載された発明を付記する。
【０１６４】
（付記）
請求項１に記載の発明は、保存した画像を表示する画像表示装置と、ネットワークを介して前記画像表示装置から画像を受信し、該受信した画像を前記ネットワークを介して他の画像表示装置に配信するサーバーとを具備する画像配信システムであって、前記画像に対する操作または処理結果に係る付加情報を生成する付加情報生成手段と、前記付加情報生成手段により生成された付加情報を当該画像に対応づけて記憶する記憶制御手段と、前記記憶制御手段によって前記画像に対応づけて記憶された付加情報に基づいて、前記他の画像表示装置に転送すべき画像を選択する画像選択手段と、前記画像選択手段によって選択された画像を前記他の画像表示装置に配信する配信手段とを備えることを特徴とする画像配信システムである。
【０１６５】
請求項２に記載の発明は、請求項１に記載の画像配信システムにおいて、前記付加情報生成手段は、前記画像の閲覧時間を付加情報として生成し、前記画像選択手段は、前記画像の閲覧時間に基づいて、前記他の画像表示装置に配信すべき画像を選択することを特徴とする画像配信システムである。
【０１６６】
請求項３に記載の発明は、請求項１に記載の画像配信システムにおいて、前記付加情報生成手段は、前記画像の閲覧回数を付加情報として生成し、前記画像選択手段は、前記画像の閲覧回数に基づいて、前記他の画像表示装置に配信すべき画像を選択することを特徴とする画像配信システムである。
【０１６７】
請求項４に記載の発明は、請求項１に記載の画像配信システムにおいて、前記付加情報生成手段は、前記画像に対する顔認識結果を付加情報として生成し、前記画像選択手段は、前記画像に対する顔認識結果に基づいて、前記他の画像表示装置に配信すべき画像を選択することを特徴とする画像配信システムである。
【０１６８】
請求項５に記載の発明は、請求項１に記載の画像配信システムにおいて、前記付加情報生成手段は、前記画像に対する編集履歴を付加情報として生成し、前記画像選択手段は、前記画像の編集履歴に基づいて、前記他の画像表示装置に配信すべき画像を選択することを特徴とする画像配信システムである。
【０１６９】
請求項６に記載の発明は、請求項１に記載の画像配信システムにおいて、前記付加情報生成手段は、前記画像のコピー回数、印刷回数、他の機器への転送の有無、顔認識による閲覧者の表情のいずれかを付加情報として生成し、前記画像選択手段は、前記画像のコピー回数、印刷回数、他の機器への転送の有無、顔認識による閲覧者の表情のいずれかに基づいて、前記他の画像表示装置に配信すべき画像を選択することを特徴とする画像配信システムである。
【０１７０】
請求項７に記載の発明は、保存した画像を表示するとともに、該画像をネットワークを介して、他の画像表示装置に配信するサーバーに転送する画像表示装置であって、前記画像に対する操作または処理結果に係る付加情報を生成する付加情報生成手段と、前記付加情報生成手段により生成された付加情報を当該画像に対応づけて記憶する記憶制御手段と、前記付加情報が記憶された画像を、前記サーバーに転送する転送手段とを備えることを特徴とする画像表示装置である。
【０１７１】
請求項８に記載の発明は、請求項７に記載の画像表示装置において、前記付加情報生成手段は、前記画像の閲覧時間、閲覧回数、顔認識結果、編集履歴、コピー回数、印刷回数、他の機器への転送の有無、顔認識による閲覧者の表情のいずれかを付加情報として生成することを特徴とする画像表示装置である。
【０１７２】
請求項９に記載の発明は、ネットワークを介して、保存した画像を表示する画像表示装置から画像を受信し、該受信した画像を前記ネットワークを介して他の画像表示装置に配信する画像配信サーバーであって、前記画像に対応づけて記憶された付加情報に基づいて、前記他の画像表示装置に配信すべき画像を選択する画像選択手段と、前記画像選択手段によって選択された画像を前記他の画像表示装置に配信する配信手段とを備えることを特徴とする画像配信サーバーである。
【０１７３】
請求項１０に記載の発明は、請求項９に記載の画像配信サーバーにおいて、前記付加情報は、前記画像の閲覧時間、閲覧回数、顔認識結果、編集履歴、コピー回数、印刷回数、他の機器への転送の有無、顔認識による閲覧者の表情のいずれかであることを特徴とする画像配信サーバーである。
【０１７４】
請求項１１に記載の発明は、保存した画像を表示するとともに、該画像をネットワークを介して、他の画像表示装置に配信するサーバーに転送する画像表示装置のコンピュータに、前記画像に対する操作または処理結果に係る付加情報を生成する付加情報生成機能、前記付加情報生成機能により生成された付加情報を当該画像に対応づけて記憶する記憶制御機能、前記付加情報が記憶された画像を、前記サーバーに転送する転送機能を実行させることを特徴とするプログラムである。
【０１７５】
請求項１２に記載の発明は、ネットワークを介して、保存した画像を表示する画像表示装置から画像を受信し、該受信した画像を前記ネットワークを介して他の画像表示装置に配信する画像配信サーバーのコンピュータに、前記画像に対応づけて記憶された付加情報に基づいて、前記他の画像表示装置に配信すべき画像を選択する画像選択機能、前記画像選択機能によって選択された画像を前記他の画像表示装置に配信する配信機能を実行させることを特徴とするプログラムである。
【０１７６】
請求項１３に記載の発明は、保存した画像を表示する画像表示装置と、ネットワークを介して前記画像表示装置から画像を受信し、該受信した画像を前記ネットワークを介して他の画像表示装置に配信するサーバーとを具備する画像配信システムであって、前記画像に対する操作または処理結果に基づいて、前記他の画像表示装置に転送すべき画像を選択する画像選択手段と、前記画像選択手段によって選択された画像を前記他の画像表示装置に配信する配信手段とを備えることを特徴とする画像配信システムである。
【０１７７】
請求項１４に記載の発明は、請求項１３に記載の画像配信システムにおいて、前記画像選択手段は、前記画像に対する操作または処理結果に基づいて、前記他の画像表示装置に配信すべき画像を選択した画像を、所定の記憶領域に移動して保存し、前記配信手段は、前記画像選択手段によって所定の記憶領域に移動させられた画像を前記他の画像表示装置に配信することを特徴とする画像配信システムである。
【０１７８】
請求項１５に記載の発明は、請求項１４に記載の画像配信システムにおいて、前記配信手段は、前記他の画像表示装置に配信した画像を、配信済記憶領域に移動して保存することを特徴とする画像配信システムである。
【０１７９】
請求項１６に記載の発明は、請求項１３に記載の画像配信システムにおいて、前記画像選択手段は、前記画像に対する操作または処理結果に基づいて、前記他の画像表示装置に配信すべき画像を選択し、該選択した画像の識別情報を、所定の記憶領域に記録し、前記配信手段は、前記画像選択手段によって所定の領域に記録した識別情報に対応する画像を前記他の画像表示装置に配信することを特徴とする画像配信システムである。
【０１８０】
請求項１７に記載の発明は、請求項１６に記載の画像配信システムにおいて、前記配信手段は、前記他の画像表示装置に配信した画像の識別情報を、配信済記憶領域に移動して記録することを特徴とする画像配信システムである。
【０１８１】
請求項１８に記載の発明は、請求項１３乃至１７のいずれかに記載の画像配信システムにおいて、前記画像に対する操作または処理結果は、前記画像の閲覧時間、前記画像の閲覧回数、前記画像に対する顔認識結果、前記画像に対する編集履歴、前記画像のコピー回数、印刷回数、他の機器への転送の有無、顔認識による閲覧者の表情のいずれかであり、前記画像選択手段は、前記画像の閲覧時間、閲覧回数、前記画像に対する顔認識結果、前記画像に対する編集履歴、前記画像のコピー回数、印刷回数、他の機器への転送の有無、顔認識による閲覧者の表情のいずれかに基づいて、前記他の画像表示装置に配信すべき画像を選択することを特徴とする画像配信システムである。
【０１８２】
請求項１９に記載の発明は、ネットワークを介して第１の画像表示装置及び第２の画像表示装置と接続される画像配信サーバーであって、前記第１の画像表示装置から受信した複数の画像を保存する第１の記憶エリアと、前記第１の記憶エリアに保存されている画像の中から所定の条件を満たす画像を抽出する抽出手段と、前記抽出手段により抽出された画像データを該サーバー内の第２の記憶エリアに転送する第１の転送手段と、前記第２の記憶エリアに転送された画像を、所定のタイミングで前記第２の画像表示装置に配信するとともに、該サーバー内の第３の記憶エリアに転送する第２の転送手段とを具備したことを特徴とする画像配信サーバーである。
【０１８３】
請求項２０に記載の発明は、請求項１９に記載の画像配信サーバーにおいて、前記第１の画像表示装置における画像の閲覧時間、閲覧回数、顔認識結果、編集履歴、コピー回数、印刷回数、他の機器への転送の有無、顔認識による閲覧者の表情のいずれかであることを特徴とする画像配信サーバーである。
【符号の説明】
【０１８４】
１、１−１、１−２    画像表示装置
２    本体
３    液晶表示パネル
４    人感センサ
５    タッチパネル
６    メモリカードスロット
７    ＧＰＳアンテナ
８    撮像素子
１１    ＣＰＵ
１２    ＲＯＭ
１３    ＲＡＭ
１４    内部メモリ
１６    表示制御部
１７    キー入力制御部
１８    メモリカードインターフェース
１９    撮像制御部
２０    ＧＰＳ制御部
３０    通信制御部
３３    アドレス帳
６０    メモリカード
７０    電源制御部
１００    顔認識エンジン
２００    絵画変換エンジン
３００    反応ログメモリ
５００    インターネット
５１０    パーソナルコンピュータ
５２０    ネットワークサービスサイト
５２１    認証サーバー
５２２    メールサーバー
５２３    課金サーバー
５２４    コンテンツサーバー
５２５    画像選択サーバー
５２５ａ  抽出エリア
５２５ｂ  送信エリア
５３０    配信コンテンツサイト
【図１】
2012073998.tif 000003
【図２】
2012073998.tif 000004
【図３】
2012073998.tif 000005
【図４】
2012073998.tif 000006
【図５】
2012073998.tif 000007
【図６】
2012073998.tif 000008
【図７】
2012073998.tif 000009
【図８】
2012073998.tif 000010
【図９】
2012073998.tif 000011
【図１０】
2012073998.tif 000012
【図１１】
2012073998.tif 000013
【図１２】
2012073998.tif 000014
【図１３】
2012073998.tif 000015
【図１４】
2012073998.tif 000016
【図１５】
2012073998.tif 000017
【図１６】
2012073998.tif 000018
【図１７】
2012073998.tif 000019
【図１８】
2012073998.tif 000020
【図１９】
2012073998.tif 000021
【図２０】
2012073998.tif 000022
【図２１】
2012073998.tif 000023
【図２２】
2012073998.tif 000024
【図２３】
2012073998.tif 000025
【図２４】
2012073998.tif 000026
【図２５】
2012073998.tif 000027
【図２６】
2012073998.tif 000028
【図２７】
2012073998.tif 000029
【図２８】
2012073998.tif 000030
【図２９】
2012073998.tif 000031
【図３０】
2012073998.tif 000032